(57)【要約】【課題】  息苦しさを解消しつつ鼻腔の乾燥を防ぐことができる鼻用保湿材を提供する。【解決手段】  鼻用保湿材１は、本体部１０及び保湿部１２を備えている。本体部１０は、その外周部が鼻腔に密接することにより当該鼻腔内に固定される。保湿部１２は、保湿機能を有する部材である。本体部１０は、孔部１４を有している。孔部１４は、鼻腔の内部と外部とを連通させるものである。【選択図】  図１
2015167774.tif 000002
【特許請求の範囲】
【請求項１】
外周部が鼻腔に密接することにより当該鼻腔内に固定される本体部と、
保湿機能を有する保湿部と、を備え、
前記本体部は、前記鼻腔の内部と外部とを連通させる孔部を有することを特徴とする鼻用保湿材。
【請求項２】
請求項１に記載の鼻用保湿材において、
前記保湿部は、前記本体部の内部に設けられている鼻用保湿材。
【請求項３】
請求項２に記載の鼻用保湿材において、
平面視で、前記保湿部は前記本体部の中央に位置するとともに、前記孔部は当該保湿部の周囲に位置する鼻用保湿材。
【請求項４】
請求項２に記載の鼻用保湿材において、
平面視で、前記孔部は前記本体部の中央に位置するとともに、前記保湿部は当該孔部の周囲に位置する鼻用保湿材。
【請求項５】
請求項２乃至４の何れかに記載の鼻用保湿材において、
平面視で、前記孔部の面積は、前記本体部の面積の４分の１以上である鼻用保湿材。
【請求項６】
請求項５に記載の鼻用保湿材において、
平面視で、前記孔部の面積は、前記本体部の面積の２分の１以上である鼻用保湿材。
【請求項７】
請求項１乃至６の何れかに記載の鼻用保湿材において、
前記保湿部は、前記本体部の高さ方向に延在する鼻用保湿材。
【請求項８】
請求項１乃至７の何れかに記載の鼻用保湿材において、
前記本体部の前記外周部の少なくとも一部は、網状に形成されており、当該外周部の網目が前記孔部を構成する鼻用保湿材。
【請求項９】
請求項１乃至８の何れかに記載の鼻用保湿材において、
前記保湿部は、当該鼻用保湿材に着脱可能に設けられている鼻用保湿材。
【請求項１０】
請求項１乃至９の何れかに記載の鼻用保湿材において、
前記保湿部は、芳香成分を含有する鼻用保湿材。
【請求項１１】
請求項１０に記載の鼻用保湿材において、
前記芳香成分は、ハーブの香りを発するものである鼻用保湿材。
【請求項１２】
請求項１乃至１１の何れかに記載の鼻用保湿材において、
前記保湿部は、抗菌成分を含有する鼻用保湿材。
【請求項１３】
請求項１２に記載の鼻用保湿材において、
前記抗菌成分は、タンニンである鼻用保湿材。
【発明の詳細な説明】
【技術分野】
【０００１】
本発明は、人の鼻腔を保湿する鼻用保湿材に関する。
【背景技術】
【０００２】
就寝中や飛行機での移動中など、湿度の低い空気が呼吸時に鼻腔内に吸い込まれることにより、鼻腔が乾燥することがしばしばある。鼻腔の乾燥は、喉の乾燥にもつながり、不快に感じることもある。従来、かかる鼻腔の乾燥を防止する手段として、例えば特許文献１に記載された保湿マスクが提案されている。同文献に記載された保湿マスクは、鼻の立体形状に合うように形成された立体の鼻マスク体を備えており、この鼻マスク体により鼻全体を覆うものである。
【先行技術文献】
【特許文献】
【０００３】
【特許文献１】特開２０１３−３４５１９号公報
【発明の概要】
【発明が解決しようとする課題】
【０００４】
特許文献１に記載された保湿マスクによれば、鼻マスク体により鼻全体が覆われるため、鼻腔の乾燥がある程度防止される。しかしながら、かかるマスクを装着した状態では、鼻呼吸が妨げられるため、息苦しくなるという問題がある。
【０００５】
本発明は、上記課題に鑑みてなされたものであり、息苦しさを解消しつつ鼻腔の乾燥を防ぐことができる鼻用保湿材を提供することを目的とする。
【課題を解決するための手段】
【０００６】
本発明による鼻用保湿材は、外周部が鼻腔に密接することにより当該鼻腔内に固定される本体部と、保湿機能を有する保湿部と、を備え、上記本体部は、上記鼻腔の内部と外部とを連通させる孔部を有することを特徴とする。
【０００７】
この鼻用保湿材においては、保湿部が設けられている。これにより、鼻呼吸時、吸気と共に保湿部から水分が鼻腔内に供給されるため、鼻腔の乾燥を防ぐことができる。また、本体部には、鼻腔の内部と外部とを連通させる孔部が設けられている。ここで、鼻腔の内部とは、鼻腔における本体部が挿入されている部分よりも奥の部分をいう。この孔部は、鼻呼吸時における呼気及び吸気の経路となる。このため、鼻用保湿材を装着した状態であっても、呼吸が妨げられることがない。
【発明の効果】
【０００８】
本発明によれば、息苦しさを解消しつつ鼻腔の乾燥を防ぐことができる鼻用保湿材が実現される。
【図面の簡単な説明】
【０００９】
【図１】本発明による鼻用保湿材の第１実施形態を示す斜視図である。
【図２】図１の鼻用保湿材を示す底面図である。
【図３】図１の鼻用保湿材を示す断面図である。
【図４】図１の鼻用保湿材におけるフレーム２２を示す平面図である。
【図５】図１の鼻用保湿材におけるフレーム２４を示す平面図である。
【図６】図１の鼻用保湿材におけるフレーム２６を示す平面図である。
【図７】本発明による鼻用保湿材の第２実施形態を示す斜視図である。
【図８】図７の鼻用保湿材を示す底面図である。
【図９】図７の鼻用保湿材を示す断面図である。
【図１０】変形例に係る本体部の構造を説明するための側面図である。
【図１１】変形例に係る本体部の構造を説明するための平面図である。
【図１２】変形例に係る保湿部の構造を説明するための斜視図である。
【図１３】変形例に係る保湿部の構造を説明するための斜視図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による鼻用保湿材の第１実施形態を示す斜視図である。鼻用保湿材１は、人の鼻腔を保湿するためのものであって、鼻腔に挿入されて用いられる。この鼻用保湿材１は、本体部１０、及び保湿部１２を備えている。本体部１０は、その外周部が鼻腔に密接することにより当該鼻腔内に固定される。本体部１０は、２つ設けられており、両方の鼻腔に挿入できるようになっている。２つの本体部１０は、連結部材３０によって連結されている。連結部材３０は、各本体部１０の底部付近に固定されている。
【００１２】
本実施形態において本体部１０の外周部は、ドーム状をしており、底部から上部に向かって径が次第に小さくなっている。この外周部は、略全面が網状に形成されている。本体部１０の内部は、後述する保湿部１２が設けられている部分を除いて、中空である。なお、実際には外周部の網目を通じて本体部１０の内部の構造を目視することができるが、図１においては、見易くするため、当該構造の図示を省略している。本体部１０及び連結部材３０の材料としては、例えば、ポリプロピレン等のプラスチックを用いることができる。
【００１３】
本体部１０の内部には、保湿部１２が設けられている。保湿部１２は、保湿機能を有する部材である。保湿部１２としては、例えば、水分を含むガーゼを用いることができる。保湿部１２は、当該保湿部１２の保湿機能を高める保湿成分を含有することが好ましい。かかる保湿成分としては、例えば、コラーゲン、ヒアルロン酸、グリセリン類が挙げられる。
【００１４】
保湿部１２には、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。
【００１５】
本実施形態において保湿部１２は、円柱状をしており、本体部１０の高さ方向に延在している。ここで、本体部１０の高さ方向とは、本体部１０の鼻腔への挿入方向（図１中の上方向）をいう。
【００１６】
本体部１０は、孔部１４を有している。孔部１４は、鼻腔の内部と外部とを連通させるものである。すなわち、本体部１０が鼻腔に挿入された状態においても、鼻腔の内部（鼻腔における本体部１０が挿入されている部分よりも奥の部分）と、鼻腔の外部とは、孔部１４を通じて連通する。本実施形態においては、本体部１０の内部の中空部分と、本体部１０の外周部の網目とが、孔部１４を構成している。
【００１７】
図２は、鼻用保湿材１を示す底面図である。同図においては、人の鼻９０に装着された状態の鼻用保湿材１が示されている。鼻用保湿材１の本体部１０が鼻腔９２に挿入され、本体部１０の外周部が鼻腔９２に密接している。なお、実際には孔部１４の奥に本体部１０の網状の外周部を目視することができるが、図２においては、見易くするため、当該外周部の図示を省略している。同図からわかるように、平面視で、保湿部１２は本体部１０の中央に位置するとともに、孔部１４は保湿部１２の周囲に位置している。平面視で、孔部１４の面積は、好ましくは本体部１０の面積の４分の１以上４分の３以下であり、より好ましくは本体部１０の面積の２分の１以上４分の３以下である。ここで、本体部１０の面積は、本体部１０の底面（開口部分を含む。）の面積として定義される。また、孔部１４の面積は、本体部１０の底面における開口部分の面積として定義される。例えば、本体部１０の底面が半径２の円であり、保湿部１２の底面が半径１の円である場合、孔部１４の面積は、本体部１０の面積の約４分の３となる。
【００１８】
図３は、鼻用保湿材１を示す断面図である。同図を参照しつつ、保湿部１２を固定するための構造について説明する。本実施形態において保湿部１２は、３つのフレーム２２，２４，２６によって、本体部１０の中心軸上に固定されている。フレーム２２は、保湿部１２の下端付近（本体部１０の底部付近）に設けられている。フレーム２４は、保湿部１２の中央付近に設けられている。また、フレーム２６は、保湿部１２の上端に設けられている。
【００１９】
図４は、フレーム２２を示す平面図である。フレーム２２は、円環状の部分２２ａ、及び部分２２ａから放射状に延びる４本の線状の部分２２ｂからなる。部分２２ａは、保湿部１２の下端付近を把持する部分である。部分２２ｂは、一端が部分２２ａに接続されるとともに、他端が本体部１０の外周部の内側に接続されている。
【００２０】
図５は、フレーム２４を示す平面図である。フレーム２４は、円環状の部分２４ａ、及び部分２４ａから放射状に延びる４本の線状の部分２４ｂからなる。部分２４ａは、保湿部１２の中央付近を把持する部分である。部分２４ａの大きさは、フレーム２２の部分２２ａの大きさに略等しい。部分２４ｂは、一端が部分２４ａに接続されるとともに、他端が本体部１０の外周部の内側に接続されている。部分２４ｂは、フレーム２２の部分２２ｂよりも短い。
【００２１】
図６は、フレーム２６を示す平面図である。フレーム２６は、円板状の部分２６ａ、及び部分２６ａから放射状に延びる４本の線状の部分２６ｂからなる。部分２６ａは、保湿部１２の上端に接する部分である。部分２６ａの大きさは、フレーム２２の部分２２ａの大きさに略等しい。部分２６ｂは、一端が部分２６ａに接続されるとともに、他端が本体部１０の外周部の内側に接続されている。部分２６ｂは、フレーム２４の部分２４ｂよりも短い。このフレーム２６は、保湿部１２が本体部１０の奥に入り過ぎるのを防止するストッパーとして機能する。
【００２２】
図３に戻って、保湿部１２は、フレーム２２の円環状の部分２２ａ及びフレーム２４の円環状の部分２４ａを通るようにしながら、上端がフレーム２６の円板状の部分２６ａに達するまで本体部１０内に挿入することにより、本体部１０に取り付けることができる。また、保湿部１２は、本体部１０の底部側（図３中の下側）に引っ張ることにより、本体部１０から取り外すことができる。このように、保湿部１２は、本体部１０に着脱可能に設けられている。
【００２３】
鼻用保湿材１の効果を説明する。鼻用保湿材１においては、保湿部１２が設けられている。これにより、鼻呼吸時、吸気と共に保湿部１２から水分が鼻腔内に供給されるため、鼻腔の乾燥を防ぐことができる。また、本体部１０には、鼻腔の内部と外部とを連通させる孔部１４が設けられている。孔部１４は、鼻呼吸時における呼気及び吸気の経路となる。このため、鼻用保湿材１を装着した状態であっても、呼吸が妨げられることがない。したがって、息苦しさを解消しつつ鼻腔の乾燥を防ぐことができる鼻用保湿材１が実現されている。
【００２４】
保湿部１２は、本体部１０の内部に設けられている。これにより、保湿部１２が本体部１０の外部に設けられている場合に比して、保湿部１２から鼻腔への水分の供給を効率良く行うことができるため、鼻腔の乾燥を効果的に防ぐことができる。
【００２５】
平面視で、保湿部１２は本体部１０の中央に位置するとともに、孔部１４は保湿部１２の周囲に位置している（図２参照）。このように保湿部１２を本体部１０の中央に配置することにより、鼻呼吸時に、保湿部１２の表面の略全体が吸気に触れるようにすることができる。これにより、呼吸時に保湿部１２から鼻腔に水分が供給され易くなるため、鼻腔の乾燥を効果的に防ぐことができる。また、孔部１４を保湿部１２の周囲に配置することにより、孔部１４を広く確保し易くなる。これにより、鼻呼吸の容易性を高めることができる。
【００２６】
保湿部１２は、本体部１０の高さ方向に延在している。これにより、呼気及び吸気の経路（孔部１４）を確保しつつ、保湿部１２の体積を大きくすることができる。保湿部１２の体積を大きくすることにより、多くの水分を保持させることができるため、長時間の使用に適した鼻用保湿材１が実現される。
【００２７】
本体部１０の外周部は、網状に形成されている。これにより、広い孔部１４を有する本体部１０を容易に実現することができる。
【００２８】
保湿部１２は、鼻用保湿材１（具体的には本体部１０）に着脱可能に設けられている。このため、保湿部１２の水分が不足した場合であっても、本体部１０から取り外した上で、保湿部１２に水分を容易に補給することができる。
【００２９】
保湿部１２が芳香成分を含有する場合、当該成分が呼吸時に鼻腔に吸い込まれることにより、より快適に鼻用保湿材１を使用することができる。保湿部１２が抗菌成分を含有する場合、呼気中や吸気中の雑菌が繁殖するのを抑制することができるため、より衛生的に鼻用保湿材１を使用することができる。
【００３０】
平面視で、孔部１４の面積が大きい場合、呼気及び吸気の経路を広く確保できるため、鼻呼吸の容易性を高めるのに有利である。かかる観点から、孔部１４の面積は、平面視で、本体部１０の面積の４分の１以上であることが好ましく、２分の１以上であることがより好ましい。他方、孔部１４の面積が大き過ぎると、保湿部１２を小さくせざるを得なくなり、鼻腔の乾燥を防止するのに不利になる。かかる観点から、孔部１４の面積は、平面視で、本体部１０の面積の４分の３以下であることが好ましい。
（第２実施形態）
【００３１】
図７は、本発明による鼻用保湿材の第２実施形態を示す斜視図である。図８は、同鼻用保湿材を示す底面図である。また、図９は、同鼻用保湿材を示す断面図である。鼻用保湿材２は、本体部１０、及び保湿部１２を備えている。鼻用保湿材２は、保湿部１２及び孔部１４の配置が鼻用保湿材１と相違する。すなわち、鼻用保湿材２においては、平面視で、孔部１４が本体部１０の中央に位置するとともに、保湿部１２が孔部１４の周囲に位置している。かかる構成の保湿部１２は、例えば、本体部１０の外周部の内側に貼り付けることにより得ることができる。鼻用保湿材２のその他の構成は、鼻用保湿材１と同様である。
【００３２】
鼻用保湿材２の効果を説明する。平面視で、孔部１４は本体部１０の中央に位置するとともに、保湿部１２は孔部１４の周囲に位置している。このように保湿部１２を孔部１４の周囲に配置することにより、広範囲に保湿部１２を設けることができるため、保湿部１２の体積を大きくし易くなる。また、本体部１０の外周面の内側に貼り付けるだけで保湿部１２を固定することが可能になるので、本体部１０ひいては鼻用保湿材２の構成を簡素化することができる。鼻用保湿材２のその他の効果は、鼻用保湿材１について説明したとおりである。
【００３３】
本発明による鼻用保湿材は、上記実施形態に限定されるものではなく、様々な変形が可能である。例えば、上記実施形態においては、本体部の外周部の略全体が網状に形成された例を示した。しかし、本体部の外周部の一部のみが網状に形成されていてもよい。ただし、鼻腔の内部と外部とを連通させる孔部を確保し得る限り、本体部の外周部を網状に形成することは必須ではない。例えば、本体部の外周部の一部を網状に形成する代わりに、開口を形成してもよい。あるいは、本体部の外周部を筒状に形成し、本体部の上方が開放するようにしてもよい。
【００３４】
上記実施形態においては、本体部の外周部がドーム状の１つの部材からなる例を示した。しかし、本体部の外周部は、図１０及び図１１に示すように、複数の部材によって構成されてもよい。
【００３５】
図１０は、変形例に係る本体部の側面図である。本体部１０'は、円柱状の保湿部１２に加えて、傘状部材４２及び円板状部材４４を有する。本体部１０'の外周部は、これらの傘状部材４２及び円板状部材４４によって構成されている。傘状部材４２は、可撓性を有する複数の線状部材からなる。これらの保湿部１２、傘状部材４２及び円板状部材４４の中心部は、固定軸４６に固定されている。これにより、円板状部材４４、保湿部１２及び傘状部材４２が、互いに一定の間隔を置いて、下から順に積層された構造となっている。
【００３６】
図１１は、保湿部１２、傘状部材４２及び円板状部材４４を示す平面図である。円板状部材４４には、複数の開口が形成されている。傘状部材４２及び円板状部材４４は、略同じ大きさの径を有しており、使用時に鼻腔に密接するように構成されている。これに対し、保湿部１２は、傘状部材４２及び円板状部材４４よりも小さな径を有しており、使用時に鼻腔から離間するように構成されている。円板状部材４４の開口部分、保湿部１２の外側部分、及び傘状部材４２の隙間部分によって、鼻腔の内部と外部とを連通させる孔部が形成されている。
【００３７】
上記実施形態においては、本体部１０の内部に保湿部１２が設けられた例を示した。しかし、保湿部１２は、本体部１０の外部に設けられてもよい。例えば、保湿部１２は、図１２に示すように、連結部材３０上に設けられてもよい。同図においては、連結部材３０の周囲に保湿部１２が巻きつけられている。また、保湿部１２は、図１３に示すように、本体部１０の底部に設けられてもよい。同図においては、２つの本体部１０が連結部材３２によって連結されている。連結部材３２は、両端部が略円形をしており、各本体部１０の底部を覆うようにして両本体部１０に固定されている。連結部材３２の両端部は、網状に形成されており、その中央部にシート状の保湿部１２が貼り付けられている。
【００３８】
上記実施形態においては、２つの本体部が連結部材で連結された例を示した。しかし、連結部材を設けることは必須ではなく、２つの本体部は互いに連結されていなくてもよい。また、本体部は、１つだけ設けられていてもよい。その場合、片方の鼻腔にのみ本体部が挿入されることになる。このように片方の鼻腔にのみ本体部を挿入することは、もう片方の鼻腔が鼻詰まり状態にある場合に特に有用である。
【符号の説明】
【００３９】
１  鼻用保湿材
２  鼻用保湿材
１０  本体部
１２  保湿部
１４  孔部
２２  フレーム
２４  フレーム
２６  フレーム
３０  連結部材
９０  鼻
９２  鼻腔
【図１】
2015167774.tif 000003
【図２】
2015167774.tif 000004
【図３】
2015167774.tif 000005
【図４】
2015167774.tif 000006
【図５】
2015167774.tif 000007
【図６】
2015167774.tif 000008
【図７】
2015167774.tif 000009
【図８】
2015167774.tif 000010
【図９】
2015167774.tif 000011
【図１０】
2015167774.tif 000012
【図１１】
2015167774.tif 000013
【図１２】
2015167774.tif 000014
【図１３】
2015167774.tif 000015